(57)【特許請求の範囲】
【請求項１】
キャップ本体（１）の後端に蓋体（１３）を具えた合成樹脂製のヒンジキャップであって、
前記キャップ本体（１）は、壜体口筒の外周に組み付く組付き筒（２）と、該組付き筒（２）の上部に位置する連結板（３）を具え、
前記連結板（３）は、前記組付き筒（２）の周方向に沿った左右両端部の一方側端部に設けられた連結部（３ａ）を介して該組付き筒（２）に破断不可に連結し、かつ他方側端部において、接続部（４）を介して該組付き筒（２）に破断可能に連結し、
更に前記連結部（３ａ）の基端部で、前記接続部（４）側を縦方向に通り、前記組付き筒（２）の上端から下端に至る肉薄の後部弱化線（１１）と、該後部弱化線の上端と連結し、前記組付き筒（２）の上面を周方向に延びる肉薄の上部弱化線（１２）をそれぞれ前記組付き筒（２）に設け、
前記連結板（３）と前記蓋体（１３）を、ヒンジ（１７）を介して連結させてなるヒンジキャップ。
【請求項２】
接続部（４）を、連結板（３）の先端部を細い接続片（４ａ）で組付き筒（２）に連結して構成した請求項１記載のヒンジキャップ。
【請求項３】
接続部（４）を、連結板（３）の上端部を細い接続片（４ａ）で組付き筒（２）に連結して構成した請求項１記載のヒンジキャップ。
【請求項４】
接続部（４）を、連結板（３）の上端部を肉薄の弱化線（４ｂ）を介して組付き筒（２）に連結して構成した請求項１記載のヒンジキャップ。
【発明の詳細な説明】
【０００１】
【発明の属する技術分野】
本発明は、壜体に組付けられ、廃棄時においてこの壜体と容易に分別可能とした合成樹脂製ヒンジキャップに関するものである。
【０００２】
【従来の技術】
この種のヒンジキャップの従来例として、実用新案登録第２５９６６９９号公報記載のものが知られている。
【０００３】
この公報記載のヒンジキャップは、壜体口筒の外周に嵌着するキャップ本体の組付き筒に、ヒンジの一側端近傍の上端から下端に亘って縦方向の弱化線を設けると共に、キャップ本体の頂板に、弱化線の上部に連続した周方向の弱化線を設けて構成され、廃棄時には、ヒンジを介して一体に連結されている蓋体を引っ張ることにより、両弱化線を破断してキャップ全体を壜体口筒から取り外し、分別するようになっている。
【０００４】
【発明が解決しようとする課題】
しかしながら、上記した従来技術にあっては、キャップの取り外しに際し、最初に壜体を外方へ引っ張って、縦方向の弱化線全体と、これに連結する部分の周方向弱化線とを同時に破断しなければならないので、この最初の弱化線破断操作に大きな操作力を要し、分別作業を迅速、円滑に行うことができないという問題があった。
【０００５】
そこで、本発明は、上記した従来技術における問題点を解消すべく創案されたもので、分別廃棄時における弱化線の破断、特に最初の破断操作を小さい操作力で容易に行なえるようにすることを技術的課題とし、もってヒンジキャップの分別取り外しを容易にかつ迅速、円滑に達成できるようにすることを目的とする。
【０００６】
【課題を解決するための手段】
上記技術的課題を解決する本発明の内、第１の発明は、
キャップ本体の後端に蓋体を具えた合成樹脂製のヒンジキャップであること、
キャップ本体は、壜体口筒の外周に組み付く組付き筒と、組付き筒の上部に位置する連結板を具え、
連結板は、組付き筒の周方向に沿った左右両端部の一方側端部に設けられた連結部を介して組付き筒に破断不可に連結し、かつ他方側端部において、接続部を介して組付き筒に破断可能に連結してあること、
更に連結部の基端部で、接続部側を縦方向に通り、組付き筒の上端から下端に至る肉薄の後部弱化線と、後部弱化線の上端と連結し、組付き筒の上面を周方向に延びる肉薄の上部弱化線をそれぞれ組付き筒に設けてあること、
連結板と蓋体を、ヒンジを介して連結させてあること、
にある。
【０００７】
分別廃棄時には、蓋体を開けて外方へ引っ張ると、ヒンジおよび連結板を介して、まず接続部が破断され、続いてキャップ本体の組付き筒の後部弱化線および上部弱化線が破断されるので、そのまま蓋体を引き上げれば、キャップ本体を壜体口筒から容易に取り外すことができる。
【０００８】
その場合において、最初の破断操作は、連結板の一部分と組付き筒とを破断可能に連結している接続部のみを破断するだけでよいので、この最初の破断を小さい操作力で容易に達成することができ、また、その後のキャップ本体の組付き筒の破断も、最初の操作力の惰力によって容易に達成することができる。
【０００９】
第２の発明は、第１の発明の構成に、接続部を、連結板の先端部を細い接続片でキャップ本体の組付き筒に連結して構成した、ことを加えたものである。
【００１０】
この請求項２記載の発明にあっては、連結板の片側端部を支点としたテコ作用により、接続片で構成された接続部を破断することができるので、接続部の破断を、小さな力で簡単に達成できると共に、接続部を破断した動作形態をそのまま継続させるだけで、ヒンジキャップを壜体から取外すことができる。
【００１１】
第３の発明は、第１の発明の構成に、接続部を、連結板の上端部を細い接続片で組付き筒に連結して構成した、ことを加えたものである。
【００１２】
この第３の発明にあっては、第２の発明と同様に、連結板の片側端部を支点としたテコ作用により、接続片で構成された接続部を破断することができるので、接続部の破断を、小さな力で簡単に達成できると共に、接続部を破断した動作形態をそのまま継続させるだけで、ヒンジキャップを壜体から取外すことができる。
【００１３】
第４の発明は、第１の発明の構成に、接続部を、連結板の上端部を肉薄の弱化線を介して組付き筒に連結して構成した、ことを加えたものである。
【００１４】
この第４の発明にあっては、連結板の片側端部を支点としたテコ作用により、接続部を破断することができるので、接続部の破断を、比較的小さな力で達成でき、また接続部の破断動作がそのまま弱化線の破断動作となるので、ヒンジキャップを壜体から取外し動作が簡単となる。
【００１５】
第５の発明は、第１の発明の構成に、連結板の先端部を延設して把手部を設けた構成を、加えたものである。
【００１６】
この第５の発明にあっては、把手部を持つことにより、接続部破断力を連結板に直接作用させることができるので、確実で安定した接続部破断動作を得ることができる。
【００１７】
【発明の実施の形態】
以下、本発明の実施例を、図面を参照しながら説明する。
図１、図２は第一実施例を示したもので、ヒンジキャップは、壜体口筒に組み付くキャップ本体１と、このキャップ本体１の後端に連結板３およびヒンジ１７を介して連結された蓋体１３とから構成されている。
【００１８】
キャップ本体１は、壜体口筒の外周に嵌着する組付き筒２の上端内方に、蓋体１３の周壁１５が係脱可能に外嵌する嵌着筒８を起立連設し、さらにその内方に頂板５を介して、壜体口筒の内周面に密接するシール筒６（図７〜図９参照）を連設すると共に、頂板５の上面内側には注出口を形成する注出筒片７が立設されている。
【００１９】
キャップ本体１の注出口の底面は、破断溝（図示省略）の内側部分を除去壁部とした口壁９で閉塞されており、この除去壁部は、その上面に一体設されたプルリング１０を使用時に引き上げることにより、破断溝部分で破断されて除去される。
【００２０】
蓋体１３の頂壁１４の内面には、蓋体１３の閉状態において注出筒片７の内周面に密接して注出口を密閉する栓筒片１６が突設されている。
【００２１】
連結板３は、組付き筒２の後端面上部内に切り込み状に形成されており、その片側端部全体が組付き筒２に連結されていると共に、先端面を複数の細い接続片４ａで組付き筒２に連結して接続部４としている。
【００２２】
そして、連結板３の片側端部と組付き筒２との連結部３ａの下端部手前から組付き筒２の下端までに、肉薄溝状の後部弱化線１１が傾斜状に設けてあり、またこの連結部３ａの上端部手前から組付き筒２の頂壁に略半周に亘って、肉薄溝状の上部弱化線１２が設けてある。
【００２３】
図３、図４は第２実施例を示したもので、片側端部を組付き筒２に連結した連結板３を、組付き筒２の外側に後端面に沿って設けると共に、その先端部内面を複数の細い接続片４ａで組付き筒２に連結して接続部４としている。
【００２４】
図５〜図９は第３実施例を示したもので、組付き筒２の外側に後端面に沿って設けた連結板３の上端部内側を、複数の細い接続片４ａで組付き筒２に連結して接続部４を構成している。
【００２５】
また、後部弱化線１１は、連結部３ａ手前から垂直方向に設けてあり、上部弱化線１２には、連結部３ａ手前から組付き筒２の頂壁を経て周壁に略半周に亘って形成されている。
【００２６】
図１０、図１１は第４実施例を示したもので、連結板３の上端部内側を、肉薄溝状の弱化線４ｂを介して組付き筒２に連結して接続部４を構成し、また連結板３の先端部を延設して把手部３ｂを引っ張ることにより、分別取り外し時における弱化線の破断を、より容易にかつ確実に行なうことができる。なお、この把手部３ｂは、前記した実施例における連結板３にも設けることができる。
【００２７】
【発明の効果】
本発明は、上記した構成となっているので、以下に示す効果を奏する。
分別廃棄時における、蓋体の引っ張り操作による破断取外しにおいて、最初の破断操作は、連結板の一部分と組付き筒とを破断可能に連結している接続部のみを破断するだけでよいので、この最初の破断を小さい操作力で容易に達成することができ、またその後の組付き筒の破断も、最初の破断操作の惰力によって容易に達成することができ、もって、壜体口筒からのヒンジキャップの分別取り外しを容易にかつ迅速、円滑に行なうことができる。
【００２８】
第２、３、４の発明においては、開いた蓋体を持っての、接続部破断操作が、テコ作用を利用した操作となるので、接続部破断を簡単に達成することができ、またこの破断動作形態をそのまま継続させることにより、弱化線の破断が達成されるので、ヒンジキャップの分別廃棄操作がきわめて簡単で容易なものとなる。
【００２９】
第５の発明においては、連結板に直接破断力を作用させることが簡単にできるので、接続部の破断を確実に安定して達成することができる。
【図面の簡単な説明】
【図１】本発明の第１実施例を示す、閉蓋状態の斜視図。
【図２】図１に示した実施例の、破断状態を示す斜視図。
【図３】本発明の第２実施例を示す、閉蓋状態の斜視図。
【図４】図３に示した実施例の、破断状態を示す斜視図。
【図５】本発明の第３実施例を示す、開蓋状態の斜視図。
【図６】図５に示した実施例の、閉蓋状態の斜視図。
【図７】図６に示した実施例の、底面図。
【図８】図７中、Ａ−Ａ線断面図。
【図９】図７中、Ｂ−Ｂ線断面図。
【図１０】本発明の第４実施例を示す、開蓋状態の斜視図。
【図１１】図１０に示した実施例の、閉蓋状態の斜視図。
【符号の説明】
１  ；  キャップ本体
２  ；  組付き筒
３  ；  連結板
３a ；  連結部
３b ；  把手部
４  ；  接続部
４a ；  接続片
４b ；  弱化線
５  ；  頂板
６  ；  シール筒
７  ；  注出筒片
８  ；  嵌着筒
９  ；  口壁
１０；  プルリング
１１；  後部弱化線
１２；  上部弱化線
１３；  蓋体
１４；  頂壁
１５；  周壁
１６；  栓筒片
１７；  ヒンジ
【図１】
0003928320.tif 000002
【図２】
0003928320.tif 000003
【図３】
0003928320.tif 000004
【図４】
0003928320.tif 000005
【図５】
0003928320.tif 000006
【図６】
0003928320.tif 000007
【図７】
0003928320.tif 000008
【図８】
0003928320.tif 000009
【図９】
0003928320.tif 000010
【図１０】
0003928320.tif 000011
【図１１】
0003928320.tif 000012